(57)【要約】  第１の波長帯域および第２の波長帯域の両方を共通焦点面上に集束させる光学レンズシステム。場合によっては、レンズシステムは第１の波長帯域を焦点面上に集束させる第１の領域と、第２の波長帯域を同じ焦点面上に集束させる第２の領域とを含む。用いる波長および材料に応じて、第１の領域が第２の波長帯域を焦点面上に集束させてもさせなくてもよく、場合によっては、第２の波長帯域を焦点面に向けて透過すらさせなくてもよい。同様に第２の領域が第１の波長帯域を焦点面上に集束させてもさせなくてもよく、場合によっては、第１の波長帯域を焦点面に向けて透過すらさせなくてもよいが、これは必須ではない。いくつかの実施形態において第１の波長帯域および第２の波長帯域を共通焦点面上に集束させるのを助けるように、追加のレンズがレンジシステムと共通焦点面との間に設けられていてもよい。追加のレンズは第１の波長帯域および第２の波長帯域の両方を透過させ、集束させる材料または材料系で作製されてもよい。
2008542851.tif 000002
【特許請求の範囲】
【請求項１】
第１の波長帯域を焦点面上に集束させる第１の領域と、
第２の波長帯域を前記焦点面上に集束させる第２の領域とを備え、前記第１の領域が前記第２の波長帯域を前記焦点面上に集束させないレンズシステム。
【請求項２】
前記第２の領域が前記第１の波長帯域を前記焦点面上に集束させない請求項１に記載のレンズシステム。
【請求項３】
前記第１の領域が前記第２の波長帯域の少なくとも一部を前記焦点面に向けて透過させない請求項１に記載のレンズシステム。
【請求項４】
第１の材料と第２の材料とを含む第１のレンズを備え、前記第１の材料が前記第１の領域で用いられるとともに、前記第２の材料が前記第２の領域で用いられる請求項１に記載のレンズシステム。
【請求項５】
前記第１のレンズと前記焦点面との間に位置する第２のレンズをさらに備える請求項４に記載のレンズシステム。
【請求項６】
前記第１の領域が中央に穴を有する環状形状を有するとともに、前記第２の領域が前記第１の領域の前記穴内に位置する請求項１に記載のレンズシステム。
【請求項７】
前記第１の波長帯域が赤外線域にある請求項１に記載のレンズシステム。
【請求項８】
前記第１の波長帯域が中赤外線域にある請求項１に記載のレンズシステム。
【請求項９】
前記第１の波長帯域が可視帯域にある請求項１に記載のレンズシステム。
【請求項１０】
前記第２の波長帯域が赤外線域にある請求項９に記載のレンズシステム。
【請求項１１】
前記第２の波長帯域が中赤外線域にある請求項９に記載のレンズシステム。
【請求項１２】
前記第１の領域がガラスを含む請求項１に記載のレンズシステム。
【請求項１３】
前記第１の領域がポリマーを含む請求項１に記載のレンズシステム。
【請求項１４】
前記第２の領域がゲルマニウムを含む請求項１に記載のレンズシステム。
【請求項１５】
第１の波長帯域を透過させるとともに前記第１の波長帯域を焦点面上に集束させる第１のレンズ領域と、
第２の波長帯域を透過させるとともに前記第２の波長帯域を前記焦点面上に集束させるが、前記第１の波長帯域を前記焦点面上に集束させない第２のレンズ領域とを備え、
前記第１のレンズ領域が前記レンズの光入射面の少なくとも一部と光出射面の少なくとも一部とを形成するとともに、前記第２のレンズ領域が前記光入射面の少なくとも一部と前記光出射面の少なくとも一部とを形成する、前記光入射面と前記光出射面とを有するレンズシステム。
【請求項１６】
前記第２のレンズ領域が前記第１の波長帯域を透過させない請求項１５に記載のレンズシステム。
【請求項１７】
前記第１の波長帯域が赤外線域にある請求項１５に記載のレンズシステム。
【請求項１８】
前記第１の波長帯域が可視帯域にある請求項１５に記載のレンズシステム。
【請求項１９】
前記第２の波長帯域が赤外線域にある請求項１８に記載のレンズシステム。
【請求項２０】
第１の波長帯域を透過させるとともに前記第１の波長帯域を第１の焦点面上に集束させる第１のレンズ部材を設けるステップと、
前記第１のレンズ部材内に開口部を形成するステップと、
第２の波長帯域を透過させるとともに前記第２の波長帯域を第２の焦点面上に集束させるが、前記第１の波長帯域を前記第２の焦点面上に集束させない第２のレンズ部材を設けるステップと、
前記第１のレンズ部材と前記第２のレンズ部材とがそれぞれ前記第１の波長帯域と前記第２の波長帯域とを共通焦点面上に集束させるように、前記第２のレンズ部材を前記第１のレンズ部材の前記開口部内に配置するステップとを含む、複数の波長帯域で動作するレンズの作製方法。
【発明の詳細な説明】
【技術分野】
【０００１】
本発明は一般に光学レンズに関し、特に複数波長レンズに関する。
【背景技術】
【０００２】
監視、軍事、探知、画像他などの多くの用途において、電磁スペクトルのマルチバンドを同時に見ることが望ましい場合がある。各帯域は他の帯域が容易には提供できない場面(scene)についての何らかの情報を提供し得る。例えば可視スペクトルは良好なまたは比較的良好な照明条件での場面の全体視覚表示を提供するのに有用であり得る。ミリメートル（ｍｍ）波帯域は、霧、雨および不透明な固体さえも貫通するため長距離または過酷な気象条件での場面の視覚表示を提供するのに有用であり得る。赤外線域は場面における物体の温度特性を判断する際に有用であり得る。これらはほんの一例である。電磁スペクトルの多帯域を同時に見ることにより、視認者は場面のより良好な理解を得ることが可能であり得る。
【０００３】
複数帯域の画像を提供可能ないくつかの現存のシステムは、異なる波長帯域を光学的に分離し、その帯域を別々に処理した後、その結果を合成して複数帯域の場面を提供する。例えば、場合によっては、ビームスプリッタ等を用いて、異なる帯域を別々の光路に光学的に分離する。他の場合には波長の異なる帯域を異なる焦点面上に集束させ、別々の検出器を異なる焦点面に設ける。これらの多くの場合、画像処理を用いて異なる帯域から得られた情報を共通場面に合成する。
【０００４】
以下の本発明の概要は本発明に特有の新規な特徴のいくつかの理解を容易にするために提供されるものであり、完全な説明であることを意図するものではない。本発明の完全な理解は明細書全体、特許請求の範囲、図面および要約書を全体としてとらえることにより得ることができる。
【０００５】
本発明は主に光学レンズに関し、特に複数波長またはマルチバンド光学レンズに関する。一例示的実施形態において、第１の波長帯域および第２の波長帯域の両方を共通焦点面上に集束させるレンズシステムが提供される。場合によっては、これは場面のマルチバンド画像を取り込み且つ処理する複雑さおよび／またはコストを低減し得る。
【発明の開示】
【課題を解決するための手段】
【０００６】
ある場合には、レンズシステムは第１の波長帯域を焦点面上に集束させる第１の領域と、第２の波長帯域を同じ焦点面上に集束させる第２の領域とを含む。用いられる波長および材料によっては、第１の領域が第２の波長帯域をその焦点面上に集束させなくてもよく、ある場合には第２の波長帯域をその焦点面に向けて透過させなくてもよい。
【０００７】
いくつかの例示的実施形態において、第１の領域が第１の材料または材料系で形成され、第２の領域が第２の材料または材料系で形成されている。第１の材料または材料系は第１の波長帯域を透過させ、集束させるように構成されてもよく、第２の材料は第２の波長帯域を透過させ、集束させるように構成されてもよい。例えば第１の領域が可視帯域の光を集束させるように構成される場合、第１の材料は所望により例えばガラス、ポリマーもしくは任意の他の適当な材料または材料系とし得る。第２の領域が赤外線域の光を集束させるように構成される場合、第２の材料は例えばゲルマニウムもしくは任意の他の適当な材料または材料系とし得る。場合によっては、第１および第２の領域が第１のレンズ構造の一部であってもよく、第２のレンズが第１のレンズ構造と共通焦点面との間に位置してもよい。
【０００８】
いくつかの例示的実施形態において、第１の領域は中央に穴を画定する環状形状を有していてもよく、第２の領域は第１の領域の穴内に位置してもよい。第１の領域および第２の領域の相対的寸法は、例えば共通焦点面における第１の波長帯域および第２の波長帯域の相対的な所望輝度に基づいて選択されてもよい。
【０００９】
上記の概要は本発明の各開示の実施形態またはすべての実施例を説明しようとするものではない。以下の図および詳細な説明が例示的実施形態をより具体的に例示する。
【発明を実施するための最良の形態】
【００１０】
以下の説明はいくつかの図を通して同様な参照番号が同様な要素を指す図面を参照して読まれたい。詳細な説明および図面は請求された発明の例示となるいくつかの実施形態を示す。
【００１１】
図１はマルチバンドレンズの例示的実施形態の概略図である。例示のレンズシステムは符号１００にて概略的に示されており、放射線の第１の波長帯域を透過させ、集束させる第１のレンズ領域または部材１１０と、放射線の第２の波長帯域を透過させるとともに共通焦点面上に集束させる第２のレンズ領域または部材１２０とを含む。第２のレンズ部材１２０は放射線の第１の波長帯域を共通焦点面上に集束させなくてもよく、場合によっては、放射線の第１の波長帯域を透過すらさせなくてもよい。同様に第１のレンズ部材１１０は放射線の第２の波長帯域を共通焦点面上に集束させなくてもよく、場合によっては、放射線の第２の波長帯域を透過すらさせなくてもよい。しかし、これは必須ではない。
【００１２】
例示的レンズシステム１００は入射面１０２と出射面１０４とを有する。例示的実施形態において、第１のレンズ部材１１０は図示のように第１の面１０２と第２の面１０４との両方の少なくとも一部を形成する。また第２のレンズ部材１２０は第１の面１０２と第２の面１０４との両方の少なくとも一部を形成する。第１のレンズの部材１１０および第２のレンズ部材１２０は放射線の第１の波長帯域および第２の波長帯域をそれぞれ共通焦点面１５０上に集束させるように配置し得る。
【００１３】
一例示的実施形態において、第１のレンズ部材１１０は電磁スペクトルの可視光線帯域の少なくとも一部を透過させ、集束させるように構成し得るとともに、第２のレンズ部材１２０は電磁スペクトルの赤外線帯域の少なくとも一部を透過させ、集束させるように構成し得る。そのように設けられている場合、第１のレンズ部材１１０は所望により例えばガラス、ポリマーもしくは任意の他の適当な材料または材料系で形成し得る。第２のレンズ部材１２０が赤外線域の放射線を透過させ、集束させるように構成されている場合、第２の材料は例えばゲルマニウムもしくは任意の他の適当な材料または材料系とし得る。ゲルマニウムは赤外線域の透過に対して比較的良好な特性を有し、紫外帯域、可視帯域、および約２マイクロメートルまでの赤外線域に対して比較的不良な透過率を有する。加えてゲルマニウムは高屈折率（波長によるが通例約４〜４．１）を有し、それはいくつかの用途において望ましい。
【００１４】
場合によっては、第１のレンズ部材１１０および第２のレンズ部材１２０は所望により、可視帯域、中間赤外線域、ｘ線帯域、紫外帯域、もしくは電磁スペクトルの任意の他の帯域または帯域の一部を透過させ、集束させるように構成し得る。より一般的には第１のレンズ部材１１０および第２のレンズ部材１２０の各々が、放射線の選択電磁スペクトル帯域を透過させ、集束させるのに適した任意の材料または材料系で形成し得ることが考えられる。図１に図示した例示的実施形態において、第１のレンズ部材１１０および第２のレンズ部材１２０の焦点距離は、１ｍｍ〜１００ｍｍのいずれかとし得る。しかし、所望により焦点距離がより小さいか、または大きい場合とすることが考えられる。また第１のレンズ部材１１０および第２のレンズ部材１２０の焦点距離が異なり得ることが考えられる。そして第１のレンズ部材１１０および第２のレンズ部材１２０を、第１の波長帯域と第２の波長帯域とが共に共通焦点面上で集束されるように互いに対して配置し得る。
【００１５】
第２のレンズ部材１２０は形状が環状であり得るとともに開口部１０６を画定し得る。例示的実施形態において、開口部１０６は第２のレンズ部材１２０内で半径方向の中央に位置する。場合によっては、開口部１０６を半径方向中央に有することにより、その回転対称性のため第２のレンズ部材１２０を構成することがより容易且つ安価になる。また放射線のマルチバンドを共通焦点面上に結像することがより容易であり得る。他の場合、開口部１０６は所望によりレンズ１００の一方側に対してずれるか、あるいは他方へずれてもよい。開口部１０６は、均一の半径を有してもよいし、開口部１０６の前または後のいずれかに向かってテーパー状になり得ることも考えられる。加えて、および場合によっては、所望により２つ以上の開口部１０６があってもよい。
【００１６】
例示的実施形態において、第１のレンズ部材１１０は第２のレンズ部材１２０の開口部１０６内に配置されている。第１のレンズ部材１１０は所望により、第２のレンズ部材１２０の表面と同一平面に位置し、または、第２のレンズ部材１２０の面の一面もしくは両面から引っ込んで位置し、または、第２のレンズ部材１２０の面の一面もしくは両面から突出して位置し、または、任意の他の状態に位置し得る。例示的実施形態において、第１のレンズ部材１１０は電磁スペクトルの可視帯域を透過させ、集束させ得る。しかし、他の場合には第１のレンズ部材１１０は所望により赤外線域、中間赤外線域、紫外帯域、ｘ線帯域または電磁スペクトルの任意の他の帯域を透過させ、集束させ得る。
【００１７】
例示的実施形態において、第１のレンズ部材１１０は可視波長帯域を透過させ、集束させるガラス、ポリマーまたは任意の他の適当な材料で形成し得る。ガラスは可視帯域に対して高透過率である特性を有する一方で、電磁スペクトルのいくつかの他の帯域の通過を阻止する。ガラスは、波長によるが約１．５の、ゲルマニウムより低い屈折率を有する。第１のレンズ部材１１０の焦点距離は、レンズシステム１００が第１の波長および第２の波長を共通焦点面１５０上に集束させるのを助けるように、それぞれの波長に対して第２のレンズ部材１２０とほぼ同様であり得る。
【００１８】
いくつかの例示的実施形態において、および図１に示すように、レンズシステム１００は、メニスカス形状と呼ばれることもある、凸状入射光面と凹状出射光面とを有し得る。他の場合、レンズシステム１００は用途に応じて凹状−凸状、凹状−凹状、凸状−凸状または任意の他の形状であり得る。場合によっては、レンズシステム１００は所望によりフレネルレンズなどのハイブリッドレンズ、または任意の他のタイプのレンズであり得る。例示的実施形態において、レンズシステム１００は縁部より中央部においてより大きい厚さを有し得る。しかし、レンズシステム１００は、所望により、均一の厚さ、中央部より縁部において大きい厚さ、または任意の他の厚さ輪郭を有し得ることが考えられる。加えて例示的レンズシステム１００は所望により任意の直径を有し得る。
【００１９】
例示的実施形態において、第２のレンズ部材１２０に対して赤外線域が選択され得るが、それは第１のレンズ部材１１０より表面積が大きい第２のレンズ部材１２０が第１のレンズ部材１１０より多くの放射線を集光して透過させ得るからである。いくつかの用途に対して赤外光の量および赤外検出器の効率が可視帯域におけるより劣るため、赤外線域からより多くの放射線を集光して集束させることが望ましいことがある。しかし、より一般的には第１のレンズ部材１１０および第２のレンズ部材１２０の相対的寸法が、例えば共通焦点面１５０における第１の波長帯域および第２の波長帯域の相対的な所望輝度いかんに基づいて選択され得ることが考えられる。
【００２０】
図２は追加レンズがレンズシステム２００と共通焦点面２５０との間に位置する例示的レンズシステム２００の概略図である。図２で分かるように、およびいくつかの実施形態において、第１のレンズシステム２００と焦点面２５０との間に第２のレンズ２７０を設けて、第１のレンズシステム２００の結像の向上を促進することが望ましい場合がある。例示的実施形態において、第２のレンズ２７０は、第１のレンズシステム２００を透過するとともに少なくとも部分的に集束された波長帯域を透過させ、さらに集束させるように構成され得る。可視および赤外線域に対して第２のレンズ２７０は例えば塩化ナトリウムもしくは任意の他の適当な材料または材料系で形成し得る。第２のレンズ２７０は所望により破線で示されるように保護環境２７２に包囲されてもよい。
【００２１】
図３は例示的デュアルバンドレンズを作製する例示的方法の概略的フローチャートである。まず３１０に示すように第１の波長帯域を透過させ、集束させる第１のレンズ部材を設け得る。第１のレンズ部材に用いられる材料は所望の波長帯域に基づいて選択され得る。例えば所望の波長帯域が赤外線域である場合には、ゲルマニウムを最適な材料として選択し得る。しかし、第１のレンズ部材を所望により任意の波長帯域を集束させ、透過させるように構成し得ることが考えられる。第１のレンズ部材は所望の焦点距離を有し得る。
【００２２】
次に３２０に示すように第１のレンズ部材内に１つまたは複数の開口部を形成し得る。１つまたは複数の開口部は所望により切削加工、レーザアブレーション、エッチングまたは任意の他の適当な技術により形成し得る。代替的には第１のレンズ部材を１つまたは複数の開口部を含むように成型し得る。開口部の場所および大きさは用途に依存し得る。場合によっては、図１に最も良く示すように１つの開口部を第１のレンズ部材の中央に配置し得る。
【００２３】
次に３３０に示すように第２のレンズ部材を設け得る。第２のレンズ部材は第２の波長帯域を透過させ、集束させ得る。第２のレンズ部材に用いられる材料は所望の波長帯域に基づいて選択し得る。例えば所望の波長帯域が可視帯域である場合には、ガラス、ポリマーまたは他の適当な材料を最適な材料として選択し得る。しかし、第２のレンズ部材を所望により任意の波長帯域を集束させ、透過するように構成し得ることが考えられる。第２のレンズ部材は所望の焦点距離を有し得る。
【００２４】
次に符号３４０で示すように第２のレンズ部材を第１のレンズ部材の開口部内に配置し得る。第１のレンズ部材および第２のレンズ部材がそれぞれ第１の波長帯域と第２の波長帯域とを共通焦点面上に集束させるように、第２のレンズ部材を第１のレンズ部材の開口部内に配置し得る。接着剤等などの任意の所望の方法で第２のレンズ部材を第１のレンズ部材に固定し得る。
【００２５】
図４は例示的デュアルバンドレンズ４００の正面図の概略図である。この例示的実施形態において、第１のレンズ部材４１０は中央に開口部を有する環状形状を取る。そして第２のレンズ部材４２０が第１のレンズ部材４１０の開口部内に配置される。例示的実施形態において、開口部は第１のレンズ部材の中央に配置される。しかし、所望であれば開口部が第１のレンズ部材４１０の一方側に対してずれるか、および／または複数の穴を設け得ることが考えられる。第１のレンズ部材４１０の大きさに対する第２のレンズ部材４２０の大きさの比率は、例えば共通焦点面上における第１の波長帯域および第２の波長帯域の相対的な所望輝度いかんに基づいて選択され得る。
【００２６】
図５は他の例示的デュアルバンドレンズ５００の正面図の概略図である。この例示的実施形態において、第１のレンズ部材５１０がレンズ５００の一方側を形成し得るとともに、第２のレンズ部材５２０がレンズ５００の他方側を形成し得る。例示的実施形態において、第１のレンズ部材５１０と第２のレンズ部材５２０とはレンズ５００の開口面に関して実質的に同じ割合を形成する。しかし、これは必須ではなく、第１のレンズ部材５１０の大きさに対する第２のレンズ部材５２０の大きさの比率が、例えば共通焦点面上における第１の波長帯域および第２の波長帯域の相対的な所望輝度いかんに基づいて選択され得ることが考えられる。また第１のレンズ部材５１０と第２のレンズ部材５２０との間の遷移線が図５においてどちらかというと直線で示されているが、遷移線は所望により湾曲しているか、または任意の他の形状を形成し得ることが考えられる。
【００２７】
図６は例示的トリプルバンドレンズ６００の正面図の概略図である。図６の例示的実施形態は、図６が第３のレンズ部材６３０を含む点以外は図４のものと同様であり、第３のレンズ部材６３０は、電磁スペクトルの第３の波長帯域を透過させ、第１および第２のレンズ部材６１０および６２０と同じ焦点面上に集束させるように構成され得る。一例において、第３のレンズ部材６３０は可視帯域を透過させ、集束させるように構成され得る一方で、第２のレンズ部材６２０は中赤外線域を集束させ、透過させるように構成され得るとともに、第１のレンズ部材６１０は高赤外線域を透過させるように構成され得、すべて共通焦点に集束され得る。しかし、これらはあくまでも一例であり、所望により第１、第２および第３のレンズ部材の各々に対して任意の所望の波長帯域が選択され得ることが考えられる。図６の例示的実施形態において、第３のレンズ部材６３０は第２のレンズ部材６２０内の開口部内に配置され得る。
【００２８】
図７は他の例示的トリプルバンドレンズ７００の正面図の概略図である。図７は図５の例示的レンズシステムと類似であり、第３のレンズ部材７３０を追加している。一例において図示するように、第１の部材７１０はレンズシステム７００の中央列を形成し、第２の部材７２０は第１の部材７１０の一方側に配置され、さらに第３の部材７３０は第２の部材７２０とは反対側に配置され得る。しかし、これは必須ではない。また例示的実施形態において、第１の部材７１０と第２の部材７２０との間および第１の部材７１０と第３の部材７３０との間の遷移線はどちらかといえば直線で示されている。しかし、遷移線（境界線）は所望により湾曲しているか、または任意の他の形状を取り得る。
【００２９】
図８はさらに他のデュアルバンドレンズ８００の正面図の概略図である。例示的レンズ８００は第１の波長帯域を透過させ、集束させるように構成された第１のレンズ部材８１０を含む。第１のレンズ部材８１０は複数の開口部または穴を含む。その複数の開口部または穴は、あるパターンに配置されてもよく、ランダムに配置されてもよく、または任意の他の所望の位置に配置されてもよい。第２の波長帯域を透過させ、集束させるように構成された複数の第２のレンズ部材８２０が第１のレンズ部材８１０内の複数の開口部または穴内に配置されている。
【００３０】
図８に示された開口部の大きさはあくまでも例示であり、複数の開口部は所望により任意の大きさおよび／または形状をとることができ、任意の所望の比率のレンズ開口表面積を形成し得ることが考えられる。例示的実施形態は第１の部材８１０内に８つの開口部を示す。しかし、所望により第１の部材８１０内に任意の数の開口部を設け得る。加えて、場合によっては、複数の開口部互いにはほぼ同じ大きさであり得るが、さらに他の場合、開口部は所望により互いに大きさが異なり得る。
【００３１】
図９は他のトリプルバンドレンズ９００の正面図の概略図である。この例示的実施形態は、第１のレンズ部材９１０内のある選択された穴が第２のレンズ部材９２０を含み、ある選択された穴が第３のレンズ部材９３０を含む点以外は、図８に示したものと同様である。第１のレンズ部材９１０は第１の波長帯域を透過させ、集束させるように構成され、第２のレンズ部材９２０は第２の波長帯域を透過させ、集束させるように構成され、さらに第３のレンズ部材９３０は第３の波長帯域を透過させ、集束させるように構成され得る。第１のレンズ部材９１０内における開口部のパターンはあくまでも例示であり、所望により第１のレンズ部材９１０内に１つまたは複数の開口部の任意のパターンを用い得ることが考えられる。
【００３２】
このように本発明の好適な実施形態を述べたが、当業者には本明細書に添付の特許請求の範囲内でさらに他の実施形態をなし得、かつ用い得ることは容易に理解できよう。本書により網羅される本発明の数々の利点は上記の明細書に記載されている。しかし、ここにおける開示が多くの観点において例示に過ぎないことは理解できよう。本発明の範囲から逸脱することなく細部、特に部品の形状、大きさおよび配列に変更をなし得る。本発明の範囲は当然添付の特許請求の範囲に明示された文言で規定される。
【図面の簡単な説明】
【００３３】
【図１】デュアルバンドレンズの例示的実施形態の概略図である。
【図２】追加レンズがレンズシステムと共通焦点面との間に位置する例示的レンズシステムの概略図である。
【図３】デュアルバンドレンズを作製する例示的方法の概略的フローチャートである。
【図４】例示的デュアルバンドレンズの正面図の概略図である。
【図５】他の例示的デュアルバンドレンズの正面図の概略図である。
【図６】例示的トリプルバンドレンズの正面図の概略図である。
【図７】他の例示的トリプルバンドレンズの正面図の概略図である。
【図８】さらに他のデュアルバンドレンズの正面図の概略図である。
【図９】さらに他のトリプルバンドレンズの正面図の概略図である。
【図１】
2008542851.tif 000003
【図２】
2008542851.tif 000004
【図３】
2008542851.tif 000005
【図４】
2008542851.tif 000006
【図５】
2008542851.tif 000007
【図６】
2008542851.tif 000008
【図７】
2008542851.tif 000009
【図８】
2008542851.tif 000010
【図９】
2008542851.tif 000011
【手続補正書】
【提出日】平成20年2月8日(2008.2.8)
【手続補正１】
【補正対象書類名】特許請求の範囲
【補正対象項目名】全文
【補正方法】変更
【補正の内容】
【特許請求の範囲】
【請求項１】
第１の波長帯域を焦点面（１５０、２５０）上に集束させる第１の領域（１１０、２１０、４１０、５１０、６１０、７１０、８１０、９１０）と、
第２の波長帯域を前記焦点面（１５０、２５０）上に集束させる第２の領域（１２０、２２０、４２０、５２０、６２０、７２０、８２０、９２０）とを備え、前記第１の領域（１１０、２１０、４１０、５１０、６１０、７１０、８１０、９１０）が前記第２の波長帯域を前記焦点面（１５０、２５０）上に集束させず、前記第１の領域（１１０、２１０、４１０、５１０、６１０、７１０、８１０、９１０）が前記第２の波長帯域の少なくとも一部を前記焦点面（１５０、２５０）に向けて透過させないレンズシステム（１００、２００、４００、５００、６００、７００、８００、９００）。
【請求項２】
第１の材料と第２の材料とを含む第１のレンズを備え、前記第１の材料が前記第１の領域（１１０、２１０、４１０、５１０、６１０、７１０、８１０、９１０）で用いられるとともに、前記第２の材料が前記第２の領域（１２０、２２０、４２０、５２０、６２０、７２０、８２０、９２０）で用いられ、前記第２の領域（１２０、２２０、４２０、６２０）が中央に穴（１０６）を有する環状形状を有し、さらに前記第１の領域（１１０、２１０、４１０、６１０）が前記第２の領域（１２０、２２０、４２０、６２０）の前記穴（１０６）内に位置する請求項１に記載のレンズシステム（１００、２００、４００、５００、６００、７００、８００、９００）。
【請求項３】
第１の波長帯域を透過させるとともに前記第１の波長帯域を焦点面（１５０、２５０）上に集束させる第１のレンズ領域（１１０、２１０、４１０、５１０、６１０、７１０、８１０、９１０）と、
第２の波長帯域を透過させるとともに前記第２の波長帯域を前記焦点面（１５０、２５０）上に集束させるが、前記第１の波長帯域を前記焦点面（１５０、２５０）上に集束させない第２のレンズ（２７０）領域とを備え、
前記第１のレンズ領域（１１０、２１０、４１０、５１０、６１０、７１０、８１０、９１０）が前記レンズの光入射面（１０２）の少なくとも一部と光出射面（１０４）の少なくとも一部とを形成するとともに、前記第２のレンズ（２７０）領域が前記光入射面（１０２）の少なくとも一部と前記光出射面（１０４）の少なくとも一部とを形成する、前記光入射面（１０２）と前記光出射面（１０４）とを有するレンズシステム（１００、２００、４００、５００、６００、７００、８００、９００）。
【請求項４】
第１の波長帯域を透過させるとともに前記第１の波長帯域を第１の焦点面（３１０）上に集束させる第１のレンズ部材を設けるステップと、
前記第１のレンズ部材（３２０）内に開口部を形成するステップと、
第２の波長帯域を透過させるとともに前記第２の波長帯域を第２の焦点面上に集束させるが、前記第１の波長帯域を前記第２の焦点面（３３０）上に集束させない第２のレンズ部材を設けるステップと、
前記第１のレンズ部材と前記第２のレンズ部材とがそれぞれ前記第１の波長帯域と前記第２の波長帯域とを共通焦点面（３４０）上に集束させるように、前記第２のレンズ部材を前記第１のレンズ部材の前記開口部内に配置するステップとを含む、複数の波長帯域で動作するレンズの作製方法。
【国際調査報告】
2008542851.tif 000012
2008542851.tif 000013